(57)【要約】【課題】  ランプ及びこれを有する液晶表示装置を開示する。【解決手段】  ランプは、放電ガス及び蛍光物質を内装したランプチューブ及びランプチューブの両端に位置し、ランプチューブに電源を印加する電極を有する。電極は、ランプチューブが挿入される挿入口側の端部とランプチューブとの間に絶縁性接着部材を介在してランプチューブと結合する。これによって、ランプチューブにおいて、電極の挿入口側の端部に対応する領域にピンホールが発生することを防止して、ランプチューブ内部の水銀が流出することを防止することができる。
2006523370.tif 000002
【特許請求の範囲】
【請求項１】
外部から入力される電源に応答して光を発生するランプチューブと、
前記ランプチューブの第１端部に位置する第１電極と、
外部電極に対応している第１電極は、ランプチューブの第１端部を受け入れるための挿入口を有しており、
前記ランプチューブの第２端部に位置する第２電極と、
前記ランプチューブと第１電極の挿入口側の第１端部との間に位置し、ランプチューブを第１電極に結合する絶縁性接着部材と、
を含むことを特徴とするランプ。
【請求項２】
前記第１電極は、
前記ランプチューブの第１端部を囲み、前記ランプチューブと接続されるキャップ部と、
前記キャップ部から延在し、挿入口を有する絶縁部とを含み、
前記絶縁部上には絶縁性接着部材が塗布され、前記絶縁部とランプチューブとを結合することを特徴とする請求項１記載のランプ。
【請求項３】
前記キャップ部と前記ランプチューブとの間に位置し、前記キャップ部を前記ランプチューブに結合するための導電性接着部材を更に含むことを特徴とする請求項２記載のランプ。
【請求項４】
前記導電性接着部材は、銀（Ａｇ）を含む接着剤であることを特徴とする請求項３記載のランプ。
【請求項５】
前記絶縁部は、前記キャップ部から遠くなるほど前記ランプチューブと次第に広く離隔することを特徴とする請求項２記載のランプ。
【請求項６】
前記絶縁部は、
前記キャップ部から、前記ランプチューブの長手方向と実質的に直交する方向に延在する絶縁支持部と、
前記絶縁支持部から、前記ランプチューブの長手方向に延在し、
前記絶縁支持部上には絶縁性接着部材が塗布され、前記絶縁性接着部材とランプチューブとを結合することを特徴とする請求項２記載のランプ。
【請求項７】
前記絶縁ガイド部は、前記絶縁支持部が前記キャップ部から、前記ランプチューブの長手方向と実質的に直交する方向に延在する長さだけ、前記ランプチューブと互いに離隔することを特徴とする請求項６記載のランプ。
【請求項８】
前記絶縁性接着部材は、シリコンを含むことを特徴とする請求項１記載のランプ。
【請求項９】
外部から提供される電源に応答して光を発生するためのランプチューブと、前記ランプチューブの第１端部に位置する第１電極と、外部電極に対応している第１電極は、ランプチューブの第１端部を受け入れるための挿入口を有しており、前記ランプチューブの第２端部に位置する第２電極と、前記ランプチューブと第１電極の挿入口側の端部との間に位置し、ランプチューブを第１電極に結合する絶縁性接着部材とを含むランプと、
前記ランプの上部に位置し、前記ランプから提供される前記光を用いて画像を表示するための液晶表示パネルと、
を含むことを特徴とする液晶表示装置。
【請求項１０】
前記第１電極は、
前記ランプチューブの第１端部を囲み、前記ランプチューブと接続されるキャップ部と、
前記キャップ部から延在し、挿入口を有する絶縁部とを含み、
前記絶縁部上には絶縁性接着部材が塗布され、前記絶縁部とランプチューブとを結合することを特徴とする請求項９記載の液晶表示装置。
【請求項１１】
前記キャップ部と前記ランプチューブとの間に位置し、前記キャップ部を前記ランプチューブに結合するための導電性接着部材を更に含むことを特徴とする請求項１０記載の液晶表示装置。
【発明の詳細な説明】
【技術分野】
【０００１】
本発明は、ランプを有する液晶表示装置に係わり、より詳細には寿命を増加させ、環境汚染を防止するランプ、及びこれを有する液晶表示装置に関する。
【背景技術】
【０００２】
一般的に、直下型液晶表示装置（direct-illumination type liquid crystal）は、画像を表示する液晶表示パネルと液晶表示パネルに光を供給する複数のランプとを含む。
直下型液晶表示装置は、液晶表示パネルの下に実質的に互いに並行に複数のランプが配置され、液晶表示パネルに直接に光を供給する。エッジ型液晶表示装置（edge-illumination type liquid crystal）は、液晶表示装置下部に備えられた導光板の側面にランプが配置されており、ランプは導光板を介して液晶表示パネルに光を供給する。つまり、エッジ型液晶表示装置において、ランプは液晶表示パネルに間接的に光を供給する。したがって、前記直下型液晶表示装置は、エッジ型液晶表示装置より複数のランプを用いることができので、発光面を広くすることができ、高輝度を確保することができる。
【０００３】
前記直下型液晶表示装置は、複数のランプを駆動するので、前記直下型液晶表示装置のランプとして、並列駆動が容易であり、値段が安い外部電極を有するランプを採用する傾向にある。
前記外部電極は、ランプのランプチューブの一端部を挿入するための挿入口を有している。第１及び第２外部電極は、ランプチューブの第１及び第２端部にそれぞれ形成されている。また、外部電源からの電源は外部電極に提供され、ランプチューブはその外部電極に提供された電源に応答して光を発生する。
【０００４】
前記ランプチューブが発光すると、ランプチューブ内部の電流がランプチューブのガラス管に沿って第１電極から第２電極へと流れる。逆も同様に印加された電圧に従って電流が流れる。ここで、電流密度が適当密度以上になるとランプチューブ内に熱が発生し、前記熱によって前記ランプチューブのガラス管が溶ける。これによりランプチューブにピンホールが発生する。
【０００５】
特に、前記挿入口と接する前記ランプチューブの部分でピンホールが発生する場合、前記ランプチューブの内部に注入された水銀のような重金属が外部に流出し、ランプの寿命が低下する。また、流出した水銀によって環境汚染が発生する。
【発明の開示】
【発明が解決しようとする課題】
【０００６】
本発明の目的は、ランプチューブに充てんされた重金属流出を防止するためのランプを提供することにある。
本発明の他の目的は、前記ランプを用いた液晶表示装置を提供することにある。
【課題を解決するための手段】
【０００７】
本発明の目的を実現するための一特徴によるランプは、ランプチューブ、第１電極、第２電極、及び絶縁性接着部材で構成される。
前記ランプチューブは、外部から入力される電源に応答して光を発生する。前記第１電極は、前記ランプチューブの第１端部に位置する。外部電極に対応している第１電極は、ランプチューブの第１端部を受け入れるための挿入口を有している。前記第２電極は、前記ランプチューブの第２端部に位置する。前記絶縁性接着部材は、前記ランプチューブと前記第１電極の挿入口側の端部との間に位置する。前記絶縁性接着部材は、前記ランプチューブと前記第１電極とを結合する。
【０００８】
前記本発明の第２目的を実現するための一特徴による液晶表示装置は、ランプ、及び液晶表示パネルを含んで構成される。
前記ランプは、ランプチューブ、第１電極、第２電極及び絶縁性接着部材を含む。ランプチューブは、外部電源から提供される電源に応答して光を発生する。第１電極は前記ランプチューブの第１端部に位置し、外部電極に対応している第１電極は、ランプチューブの第１端部が挿入される挿入口を有している。前記第２電極は、前記ランプチューブの第２端部に位置する。前記絶縁性接着部材は、前記ランプチューブと前記挿入口側の第１電極の端部との間に位置する。そして、前記絶縁性接着部材は、前記ランプチューブと前記第１電極とを結合する。前記液晶表示パネルは、前記ランプの上部に位置し、前記ランプから提供される前記光を用いて画像を表示する。
【発明の効果】
【０００９】
このようなランプ、及び、これを用いる液晶表示装置によると、前記第１電極の挿入口に対応するランプチューブの部分でピンホールが発生することを防止し、更に環境汚染を防止することができる。
【発明を実施するための最良の形態】
【００１０】
図１は、本発明の一実施例によるランプを示した分解斜視図である。
図１を参照すると、本発明によるランプ１００は、ランプチューブ１１０、第１電極１２０及び第２電極１３０を含む。電源は、外部電源から第１及び第２電極１２０に供給される。ランプチューブ１１０は、外部から提供される電源に応答して光を発生する。
より詳細には、前記ランプチューブ１１０は、両端が密封されたチューブの形状を有し、一般的にガラス材質からなる。前記ランプチューブ１１０の内部には、蛍光物質及び放電ガスが注入される。
【００１１】
前記ランプチューブ１１０の第１端部１１１には、前記第１電極１２０が位置し、前記ランプチューブ１１０の第２端部には、前記第２電極１３０が位置する。ここで、前記第１端部１１１と前記第２端部１１２は互いに対向する。
前記第１電極１２０及び第２電極１３０は、一側が開口され、他側が密閉された円筒形状を有する。前記第１電極１２０及び第２電極１３０の前記密閉された他側は外部の電源供給装置（図示せず）と連結される。そして、電源は、第１及び第２電極１２０、１３０に供給され、ランプチューブ１１０内に光を発生する。
【００１２】
具体的に、前記第１電極１２０は、開口された一側に第１挿入口１２１を有する。ランプチューブ１１０の前記第１端部１１１は第１挿入口１２１に挿入される。第１電極１２０の密閉された他側は電源供給装置に連結され、電源の印加を受ける。
前記第２電極１３０は、開口された一側に第２挿入口１３１を有する。ランプチューブ１１０の前記第２端部１１２は第２挿入口１３１に挿入される。第２電極１３０の密閉された他側は電源供給装置に連結され、電源の印加を受ける。
【００１３】
前記ランプチューブ１１０の第１端部１１１は、前記第１挿入口１２１を用いて前記第１電極１２０の内部に挿入される。前記ランプチューブ１１０の第２端部１１２は、前記第２挿入口１３１を用いて前記第２電極１３０の内部に挿入される。
ランプ１００が電気的に動作する時、前記電源が前記電源供給装置から前記第１電極１２０及び第２電極１３０に印加される。
【００１４】
前記第１電極１２０及び第２電極１３０に供給された電源に応答して、前記ランプチューブ１１０は発光する。
図１では、外部電極に対応するランプ１００の第１電極１２０及び第２電極１１０がランプチューブ１１０の外部表面に配置されている。しかし、前記第１電極１２０又は第２電極１３０のうち、いずれか一つの電極は前記ランプチューブ１１０の内部に形成することができる。
【００１５】
図２は、図１のＩ−Ｉ’に沿って見た断面図であり、図３は、図２のＡ部分を拡大した断面図である。
図２及び図３を参照すると、前記第１端部１１１及び第２端部１１２は、前記第１電極１２０及び第２電極１３０に挿入される。
前記第１端部１１１及び第２端部１１２から前記第１電極１２０及び第２電極１３０が分離することを防止するために、第１端部１１１及び第２端部１１２と前記第１電極１２０及び第２電極１３０との間に導電性接着部材１４０を介在する。
【００１６】
前記導電性接着部材１４０は、非常に微細な直径を有する銀（Ａｇ）粒子、接着性があり、前記銀粒子が一定形態を維持することができるようにする樹脂、前記樹脂を硬化可能にする揮発性ソルベントを含む。
前記導電性接着部材１４０は、ランプチューブ１１０の第１端部１１１及び／又は第２端部１１２に塗布される。あるいは、導電性接着部材１４０は、前記第１電極１２０及び第２電極１３０の内表面に塗布される。そして、導電性接着部材１４０は、前記第１端部１１１に第１電極１２０を結合し、第２端部１１２に第２電極１３０を結合する。前記導電性接着部材１４０は、導電物質である銀を含有していて、前記第１端部１１１及び第２端部１１２と前記第１電極１２０及び第２電極１３０とが電気的に導電される。
【００１７】
図３に示したように、前記第１電極１２０が前記電源供給装置から電源の印加を受けると、前記第１電極１２０は、前記導電性接着部材１４０を用いて前記電源を前記ランプチューブ１１０に印加する。ここで、ランプチューブ１１０は、第１電極１２０に印加された電源に応答して発光する。
即ち、前記ランプチューブ１１０は、前記導電性接着部材１４０を用いて前記第１電極１２０及び／又は第２電極１３０と結合する。また、ランプチューブ１１０は、前記導電性接着部材１４０によって第１電極１２０／又は第２電極１３０と電気的に導電される。
【００１８】
前記ランプチューブ１１０に電源が印加されると、前記ランプチューブ１１０の内部に流れる電流が前記第１電極１２０から第２電極１３０の方向に流れるようになる。
ここで、前記電流の密度が適正密度より高くなると、第１端部１１１及び第２端部１１２のうち、前記電流と接する部分で熱が発生する。
ランプチューブ１１０は、ガラス管１０及び放電空間１１を含む。前記ランプチューブ１１０の本体はガラスで形成されているので、前記熱によって前記第１端部１１１及び／又は前記第２端部１１２のガラス管１０でピンホールが発生しうる。
【００１９】
前記第１電極１２０及び／又は第２電極１３０の内部で前記ピンホールが発生する場合には、前記導電性接着部材１４０によって前記ピンホールが密封される。即ち、前記第１端部１１１と第１電極１２０とは前記導電性接着部材１４０を用いて結合し、第２端部１１２と第２電極１３０は、前記導電性接着部材１４０を用いて結合する。前記導電性接着部材１４０は、前記ピンホールを密封するため、前記ランプチューブ１１０内の水銀がランプ１００の外部に流出することを防止される。
【００２０】
しかし、前記ランプチューブ１１０のうち、前記第１挿入口１２１及び／又は第２挿入口１３１と接する領域で前記ピンホールが発生する場合には、前記導電性接着部材１４０を用いて前記ピンホールを密封できないので、前記ピンホールを用いて前記ランプチューブ１１０に注入された水銀が外部に流出される可能性がある。
前記第１挿入口１２１及び／又は第２挿入口１３１と接する部分で発生したピンホールを密封するために、ランプチューブ１１０と第１挿入口１２１付近の第１電極１２０の端部との間に絶縁性接着部材１５０を介在する。また、ランプチューブ１１０と第２挿入口１３１付近の第２電極１３０の端部との間に絶縁性接着部材１５０を介在する。
【００２１】
前記絶縁性接着部材１５０は、前記第１電極１２０及び／又は第２電極１３０を前記ランプチューブ１１０に結合する。そして、前記絶縁性接着部材１５０は、前記第１電極１２０及び／又は第２電極１３０を前記ランプチューブ１１０から電気的に絶縁する。前記絶縁性接着部材１５０の一例としてはシリコン接着剤などがある。
前記第１電極１２０、前記絶縁性接着部材１５０及び前記ランプチューブ１１０の結合関係は図４にて詳細に説明する。
【００２２】
図４は、図２に示したランプチューブと第１電極との結合状態を示す断面図であり、図５は、図４のＢ部分を拡大した断面図である。第２電極１３０、前記絶縁性接着部材１５０及び前記ランプチューブ１１０の結合関係は実質的に第１電極１２０と同様であるので説明を省略する。
図４及び図５を参照すると、前記第１電極１２０は、キャップ部１２２及び絶縁部１２３を含む。キャップ部１２２は、ランプチューブ１１０の第１端部１１１を囲み、ランプチューブ１１０に接続され、また前記電源供給装置と電気的に連結される。電源供給装置は、第１電極１２０に電源を供給する。絶縁部１２３は、前記キャップ部１２２から延在し、前記第１挿入口１２１を有する。
【００２３】
より詳細には、前記キャップ部１２２とランプチューブ１１０の第１端部との間には、前記導電性接着部材１４０を介在して前記キャップ部１２２を前記第１端部１１１に結合する。ここで、前記キャップ部１２２と前記第１端部１１１は、前記導電性接着部材１４０を用いて電気的に互いに導電される。
図５に示したように、前記絶縁部１２３と前記第１端部１１１との間には、前記絶縁性接着部材１５０を介在して前記絶縁部１２３をランプチューブ１１０の第１端部１１１に結合する。ここで、前記絶縁部１２３と前記第１端部１１１は、前記絶縁性接着部材１５０を用いて電気的に互いに絶縁される。
【００２４】
したがって、第１端部１１１の領域のうち、前記キャップ部１２２に対応する領域は、前記キャップ部１２２と電気的に導電され、前記絶縁部１２３に対応する第１端部１１１の領域は、前記絶縁部１２３と電気的に絶縁される。
即ち、前記第１電極１２０と前記第１端部１１１は、前記導電性接着部材１４０を用いて結合された領域は互いに電気的に導電される。また、第１電極１２０と前記第１端部１１１は、前記絶縁性接着部材１５０を用いて結合された領域は、互いに電気的に絶縁される。
【００２５】
前記ランプ１００が電気的に駆動されると、
電流１１３は、前記キャップ部１２２と対応する導電領域（Ｃ）に流れ、前記絶縁部１２３と対応する絶縁領域（Ｄ）には流れない。
ランプチューブ１１０はガラス管１０及び放電領域１１を含む。ランプチューブ１０はガラス管１０を含むため、導電領域（Ｃ）のガラス管１０ではピンホールが発生しうるが、前記絶縁領域（Ｄ）では、ピンホールが発生しないようになる。
【００２６】
また、前記導電領域（Ｃ）のうち、前記絶縁領域（Ｄ）と互いに隣接した部分でピンホールが発生する場合には、前記絶縁性接着部材１５０が前記ピンホールを密封する。したがって、前記ランプチューブ１１０から水銀が流出することを防止することができ、それによって環境汚染を防止することができる。
図６は、本発明の実施形態例による電極の例を具体的に示した図面である。図７は、本発明の実施形態例による別の電極の例を具体的に示した図面である。
【００２７】
図６及び図７を参照すると、本発明の他の実施例による電極１６０、１７０は、前記絶縁性接着部材１５０が塗布される絶縁部を多様な形状で具現することができる。
図６を参照すると、本発明の他の実施例による電極１６０は、前記電源供給装置と連結され、キャップ部１６１及び絶縁部１６２を含む。ランプチューブ１１０に接続されたキャップ部１６１は、ランプチューブ１１０の端部を覆う。キャップ部１６１は、電源供給装置に電気的に接続され、電極１６０に電源を供給する。絶縁部１６２は、キャップ部１６１から延在し、ランプチューブ１１０の一端部を挿入するための挿入口１６３を有する。
【００２８】
より詳細には、前記キャップ部１６１は、前記電源供給装置と連結され、前記キャップ部１６１と前記ランプチューブ１１０との間には前記導電性接着部材１４０が介在され、前記キャップ部１６１と前記ランプチューブ１１０とを結合する。ここで、前記キャップ部１６１は、前記導電性接着部材１４０を用いて前記ランプチューブ１１０と互いに電気的に導電する。
【００２９】
前記絶縁部１６２は、前記キャップ部１６１から延在する。前記キャップ部１６１と連結された側から前記挿入口１６３の方向に近くなるほど前記ランプチューブ１１０と絶縁部１６２との間隔が次第に広い形状を有する。前記絶縁部１６２と前記ランプチューブ１１０との間には、前記絶縁性接着部材１５０が介在され、前記絶縁部１６２と前記ランプチューブ１１０を結合する。ここで、前記キャップ部１６１は、前記絶縁性接着部材１５０を用いて前記ランプチューブ１１０と電気的に互いに絶縁する。
【００３０】
図７を参照すると、本発明のまた他の実施例による電極１７０は、キャップ部１７１及び絶縁部１７２を含む。ランプチューブ１１０に接続されたキャップ部１７１は、ランプチューブ１１０の端部を覆う。キャップ部１７１は、電源供給装置に電気的に接続され、電極１７０に電源を供給する。絶縁部１７２は、キャップ部１７１から延在し、ランプチューブ１１０の一端部を挿入するための挿入口１７３を有する。
【００３１】
より詳細には、前記キャップ部１７１は、前記電源供給装置と連結され、前記キャップ部１７１と前記ランプチューブ１１０との間には前記導電性接着部材１４０が介在され、前記ランプチューブ１１０と前記キャップ部１７１とを結合する。ここで、前記キャップ部１７１は、前記導電性接着部材１４０を用いて前記ランプチューブ１１０と互いに電気的に導電する。
【００３２】
前記絶縁部１７２は、絶縁支持部７１及び絶縁ガイド部７２を含む。絶縁支持部７１は前記キャップ部１７１から前記ランプチューブ１１０の長手方向に延在する。絶縁ガイド部７２は、前記絶縁支持部７１から前記ランプチューブ１１０の長手方向に延在する。
前記絶縁ガイド部７２は、前記ランプチューブ１１０から所定間隔に離隔される。ここで、前記絶縁ガイド部７２と前記ランプチューブ１１０は、前記絶縁ガイド部７２がキャップ部１７１からランプチューブ１１０の長手方向に延在した長さだけ互いに離隔される。
【００３３】
前記絶縁部１７２と前記ランプチューブ１１０との間には、前記絶縁性接着部材１５０が介在され、前記ランプチューブ１１０と前記絶縁部１７２を結合する。ここで、前記絶縁部１７２は、前記絶縁性接着部材１５０を用いて前記ランプチューブ１１０と電気的に絶縁する。
図８は、本発明の一実施例による直下型液晶表示装置を示した分解斜視図である。
【００３４】
図８を参照すると、本発明による液晶表示装置６００は、ディスプレイユニット２００、前記ディスプレイユニット２００に光を提供するバックライトアセンブリ３００、モールドフレーム４００、及びトップシャーシ５００を具備する。ディスプレイユニット２００は、バックライトユニット２００から光の供給を受けて画像を表示する。モールドフレーム４００、及びトップシャーシ５００は、前記ディスプレイユニット２００を収納する。
【００３５】
ディスプレイユニット２００は、画像を表示する液晶表示パネル２１０、データ側、及びゲート側テープキャリアパッケージ（以下、ＴＣＰ）２２０、２２５及びデータ及びゲート印刷回路基板２３０、２３５を含む。
より詳細には、液晶表示パネル２１０は、薄膜トランジスタ基板（以下、ＴＦＴ）２１１、前記ＴＦＴ基板２１１と互いに対向するカラーフィルタ基板２１２、及び前記ＴＦＴ基板２１１と前記カラーフィルタ基板２１２との間に注入された液晶層（図示せず）を含む。
【００３６】
前記ＴＦＴ基板２１１は、スイッチング素子であるＴＦＴ(図示せず)がマトリクス形態で形成され、前記液晶層に信号電圧を印加する。
前記ＴＦＴ基板２１１に対向して具備される前記カラーフィルタ基板２１２は、通過される光によって所定色に発現される色画素であるＲＧＢ画素が薄膜工程によって形成された基板である。
【００３７】
前記ＴＦＴ基板２１１のソース側には、データ駆動信号の印加時期を決定する前記データ側ＴＣＰ２２０が付着され、前記ＴＦＴ基板２１１のゲート側にはゲート駆動信号の印加時期を決定する前記ゲート側ＴＣＰ２２５が付着される。
前記データ側ＴＣＰ２２０は、一側がＴＦＴ基板２１１に付着され、他側がデータ印刷回路基板２３０に付着され、前記液晶表示パネル２１０を前記データ印刷回路基板２３０と電気的に連結する。
【００３８】
前記ゲート側ＴＣＰ２２５は、一側が前記ＴＦＴ基板２１１に付着され、他側がゲート印刷回路基板２３５に付着され、前記液晶表示パネル２１０を前記ゲート印刷回路基板２３５と電気的に連結する。
前記データ及びゲート印刷回路基板２３０、２３５は、外部から電気的な信号の印加を受け、それぞれ前記データ側及びゲート側ＴＣＰ２２０、２２５に印加する。
【００３９】
前記データ側及びゲート側ＴＣＰ２２０、２２５は、前記液晶表示パネル２１０の駆動及び駆動時期を制御するための駆動信号とタイミング信号を前記液晶表示パネル２１０に印加する。
一方、前記ディスプレイユニット２００の下部に位置する前記バックライトアセンブリ３００は、ランプユニット３１０、拡散板３２０、拡散シート３３０、反射板３４０及びボトムシャーシ３５０を含む。ランプユニット３１０は、画像を表示するための第１光を発生させる。拡散板３２０及び拡散シート３３０は、前記第１光を均一の輝度分布を有する第２光に変換する。反射板３４０は、前記ランプユニット３１０から漏洩した光を前記拡散板３２０に反射する。ボトムシャーシ３５０は、前記反射板３４０とランプユニット３１０を収納する。
【００４０】
具体的に、本発明による前記ランプユニット３１０は、光を発生させる複数のランプ３１１及びランプ３１１を固定するためのランプソケット３１２を含む。
それぞれのランプ３１１は、ランプチューブ１１、第１電極１２ａ及び第２電極１２ｂを含む。ランプチューブ１１は、放電ガスが充電されており、ランプチューブ１１０の内表面は蛍光物質によりコーティングされている。第１電極１２ａ及び第２電極１２ｂは、それぞれ前記ランプチューブ１１の両端に位置し、前記ランプソケット３１２と結合する。外部の電源供給装置からの電源は、ランプソケット３１２を介して第１電極１２ａ及び第２電極１２ｂに供給される。
【００４１】
前記第１電極１２ａ及び第２電極１２ｂは、前記ランプチューブ１１の両端部を挿入するための挿入口を有する。導電性接着部材は、第１電極１２ａとランプチューブ１１との間に挿入され、同様に第２電極１２ｂとランプチューブ１１との間に挿入される。第１電極１２ａ及び第２電極１２ｂは、前記ランプチューブ１１と結合する。
前記導電性接着部材は、前記ランプチューブ１１でピンホールが発生した場合に前記ピンホールを密封して前記ランプチューブ１１に注入された水銀が外部に漏出することを防止する。また、前記導電性接着部材は、前記第１電極１２ａ及び第２電極１２ｂと前記ランプチューブ１１とを電気的に導電する。
【００４２】
絶縁性接着部材はランプチューブ１１と挿入口との間に介在されており、第１電極１２ａをランプチューブ１１に結合し、第２電極１２ｂをランプチューブ１１に結合する。
前記導電性接着部材は、前記ランプチューブ１１でピンホールが発生する場合、前記ピンホールを密封して前記ランプチューブ１１に注入された水銀が外部に漏出することを防止する。また、前記絶縁性接着部材は、前記第１電極１２ａ及び第２電極１２ｂから前記ランプチューブ１１を電気的に絶縁する。
【００４３】
ランプ３１１が電気的に動作する時、前記第１電極１２ａ及び第２電極１２ｂは、前記ランプソケット３１２から印加された電源を前記導電性接着部材を用いて前記ランプチューブ１１に印加し、前記ランプチューブ１１は前記電源に応答して光を発生させる。
ここで、前記第１電極１２ａ及び第２電極１２ｂの挿入口側の端部は、前記絶縁性接着部材によって前記ランプチューブ１１と電気的に絶縁状態を維持する。
【００４４】
一方、前記ランプソケット３１２は、導電性材質からなり、前記ランプ３１１を固定するためのクリップ部を有し、前記ランプ３１１が配置される方向に配置される。
前記ランプユニット３１０は、画像を表示するための第１光を発生して前記拡散板３２０及び前記拡散シート３３０に提供する。
前記ランプユニット３１０の上部に位置する前記拡散板３２０及び拡散シート３３０は、第２光を前記液晶表示パネル２１０に出射する。
【００４５】
前記ランプユニット３１０の下に位置する前記反射板３４０は、前記拡散板３２０に入射されず、漏洩した光を前記拡散板３２０側に反射する。
前記ボトムシャーシ３５０は、収納空間を有し、前記反射板３４０の下に位置し、前記収納空間に前記反射板３４０及び前記ランプユニット３１０を収納する。前記拡散板３２０及び前記拡散シート３３０は、前記ボトムシャーシ２７０の側壁に形成された段差に装着される。
【００４６】
前記拡散シート３３０の上部には、前記モールドフレーム４００が装着される。前記モールドフレーム４００は、前記液晶表示パネル２１０を収納し、前記ボトムシャーシ３５０と結合する。
前記液晶表示パネル２１０の上には、トップシャーシ５００が提供される。トップシャーシ５００は、画像を表示する前記液晶表示パネル２１０の有効表示領域が開口されるようにカバーしながら、前記ボトムシャーシ３５０と結合して前記液晶表示パネル２１０を前記モールドフレーム４００に固定する。
【産業上の利用可能性】
【００４７】
以上、本発明によると、外部電極を有するランプにおいて、ランプチューブが挿入される挿入口部分とランプチューブとの間に絶縁性接着部材を介在して、挿入口部分に対応するランプチューブ部分でピンホールが発生することを防止する。
また、ピンホールによってランプチューブの内部に注入された水銀などの重金属が流出することを防止することができるので、重金属による環境汚染を防止することができる。
【００４８】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００４９】
【図１】本発明の一実施例によるランプを示した分解斜視図である。
【図２】図１のＩ−Ｉ’に沿って見た断面図である。
【図３】図２のＡ部分を拡大した断面図である。
【図４】図２に示したランプチューブと第１電極との結合状態を示した断面図である。
【図５】図４のＢ部分を拡大した断面図である。
【図６】図１に示した電極の多様な実施例を具体的に示した図面である。
【図７】図１に示した電極の多様な実施例を具体的に示した図面である。
【図８】本発明の一実施例による直下型液晶表示装置を示した分解斜視図である。
【符号の説明】
【００５０】
１００、３１１    ランプ
１１０    ランプチューブ
１２０、１３０、１６０、１７０    電極
１４０    導電性接着部材
１５０    絶縁性接着部材
２００    ディスプレイユニット
３００    バックライトアセンブリ
３１０    ランプユニット
４００    モールドフレーム
５００    トップシャーシ
６００    液晶表示装置
【図１】
2006523370.tif 000003
【図２】
2006523370.tif 000004
【図３】
2006523370.tif 000005
【図４】
2006523370.tif 000006
【図５】
2006523370.tif 000007
【図６】
2006523370.tif 000008
【図７】
2006523370.tif 000009
【図８】
2006523370.tif 000010
【国際調査報告】
2006523370.tif 000011
2006523370.tif 000012
2006523370.tif 000013